(57)【要約】【課題】出湯温度を一定以上に設定したときに表示と音声でお知らせする温水利用装置システムを提供する。【解決手段】温度アップスイッチ１０７または１１５を操作してあらかじめ決めていた温度以上に出湯温度を設定したとき、高温設定判定手段１３１はこれを判定し、表示手段１０６にこの旨を表示する。また同時にスピーカ１３０と１４７からこの旨を音声で報知する。【選択図】図１
2006105579.tif 000002
【特許請求の範囲】
【請求項１】
表示手段と温度設定スイッチを有する１または複数のリモコンと、温水利用装置とを備えた温水利用装置システムにおいて、
前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台の前記表示手段に高温警告を表示する温水利用装置システム。
【請求項２】
表示手段と温度設定スイッチと音声出力手段を有する１または複数のリモコンと、温水利用装置とを備えた温水利用装置システムにおいて、
前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台のリモコンは、高温警告を報知する前記音声出力手段と高温警告を表示する前記表示手段の少なくとも一方を有する温水利用装置システム。
【請求項３】
温度設定スイッチでの設定値をあらかじめ決めた以上の温度に設定した状態で温水利用装置の出湯栓を開き温水を出湯したとき、前記リモコンのうち少なくとも１台の表示手段に高温警告を表示する、または、音声出力手段から高温警告を報知する、または、高温警告の表示と高温警告の報知の両方を行う請求項１または２いずれか１項に記載の温水利用装置システム。
【請求項４】
前記高温警告の表示として、高温警告アイコンを表示する、高温警告の表示の色、文字サイズ、文字の太さ、フォントを変える、のうち少なくともひとつを行う請求項１から３のいずれか１項に記載の温水利用装置システム。
【請求項５】
リモコンの少なくとも１台はネットワークを介して情報提供サーバが有する情報を前記表示手段に表示する請求項１から４のいずれか１項に記載の温水利用装置システム。
【請求項６】
表示手段と温度設定スイッチを有する１または複数のリモコンと、温水利用装置とを備えた温水利用装置システムにおいて、
前記リモコンの少なくとも１台はネットワークを介して情報提供サーバが有する情報を前記表示手段に表示し、前記温度設定スイッチを操作することで前記温水利用装置から出湯する温水の温度を設定することができ、前記温度設定スイッチでの設定値をあらかじめ決めた以上の温度に設定したとき、前記リモコンのうち少なくとも１台の前記表示手段に高温警告を表示する温水利用装置システム。
【請求項７】
表示手段と温度設定スイッチと音声出力手段を有する１または複数のリモコンと、温水利用装置とを備えた温水利用装置システムにおいて、
前記リモコンの少なくとも１台はネットワークを介して前記ネットワーク上の情報提供サーバが有する情報を前記表示手段に表示し、前記温度設定スイッチを操作することで前記温水利用装置から出湯する温水の温度を設定することができ、前記温度設定スイッチでの設定値をあらかじめ決めた以上の温度に設定したとき、前記リモコンのうち少なくとも１台のリモコンは、高温警告を報知する前記音声出力手段と高温警告を表示する前記表示手段の少なくとも一方を有する温水利用装置システム。
【請求項８】
表示手段に情報提供サーバが有する情報を表示している状態で、前記表示手段に高温警告を表示する条件が整ったときは、前記表示手段の全画面大に高温警告を表示する請求項５から７のいずれか１項に記載の温水利用装置システム。
【請求項９】
表示手段に情報提供サーバが有する情報を表示している状態で、前記表示手段に高温警告を表示する条件が整ったときは、前記表示手段の全画面大のうち、前記情報提供サーバが有する情報を表示している画面大に高温警告を表示する請求項５から７のいずれか１項に記載の温水利用装置システム。
【請求項１０】
表示手段に設定温度を表示している状態で、前記表示手段に高温警告を表示する条件が整ったときは、前記表示手段の設定温度の表示位置の全部、または一部を除いて高温警告を表示する請求項１から９のいずれか１項に記載の温水利用装置システム。
【請求項１１】
表示手段に高温警告表示確認画面を表示し、確認スイッチを押したときに、高温警告画面を消す請求項１から１０のいずれか１項に記載の温水利用装置システム。
【請求項１２】
表示手段に高温警告を表示開始してから一定時間経過したとき、または出湯が終了したときに高温警告画面を消す請求項１から１１のいずれか１項に記載の温水利用装置システム。
【請求項１３】
表示手段が表示されていない状態で、前記表示手段に高温警告を表示する条件が整ったときは、前記表示手段に高温警告を表示する請求項１から１２のいずれか１項に記載の温水利用装置システム。
【請求項１４】
１または複数のリモコンのうち、他のリモコンの温度設定スイッチを操作することで温水利用装置から出湯する温水の温度をあらかじめ決めた以上の温度に設定したとき、または、あらかじめ決めた以上の温度に設定した状態で前記温水利用装置の出湯栓を開いたとき、または、あらかじめ決めた以上の温度に設定した状態で前記温水利用装置の出湯栓を開き温水を出湯したときに、表示手段に高温警告を表示する請求項１から１３のいずれか１項に記載の温水利用装置システム。
【請求項１５】
高温警告表示または高温警告報知をしないように設定する機能を有する請求項１から１４のいずれか１項に記載の温水利用装置システム。
【請求項１６】
前記情報提供サーバが有する情報を前記表示手段に表示した状態において所定時間経過した場合に、温水温度の表示に切り替える、または、高温給湯の設定であるときには高温警告を行う請求項５〜７のいずれか１項に記載の温水利用装置。
【請求項１７】
前記情報提供サーバが有する情報を前記表示手段に表示したままの状態において所定時間経過してその表示画面を消して表示せず、前記リモコンにおいて何らかの操作がされたとき前記表示画面を再表示する場合に、温水温度の画面表示に切り替える、または、高温給湯の設定であるときには高温警告を行う請求項５〜７のいずれか１項に記載の温水利用装置。
【請求項１８】
請求項１から１７のいずれかに記載の温水利用装置システムの少なくとも一部をコンピュータにより実行するためのプログラム。
【発明の詳細な説明】
【技術分野】
【０００１】
本発明はガス給湯器や石油給湯器や電気温水器やヒートポンプ給湯器などの温水を生成し給湯、暖房等に利用する温水利用装置システムおよびそのプログラムに関するものである。
【背景技術】
【０００２】
リモコンと温水利用装置を有する温水利用装置システムは一般的な方法として普及している（特許文献１参照）。
【０００３】
従来例の温水利用装置システムの構成を図６、図７に示す。
【０００４】
図６において、１は従来例の温水利用装置、２は第１のリモコンでここでは主に台所に設置されるリモコンであるとする。３は第２のリモコンでここでは主に浴室に設置されるリモコンであるとする。４は温水利用装置１への給水配管、５は温水利用装置１で生成された温水の出湯配管で出湯のためのバルブ（蛇口）を有している。６と１０はそれぞれ第１のリモコン２と第２のリモコン３の表示手段で出湯温水の設定温度等を表示する。７と１１はそれぞれ第１のリモコン２と第２のリモコン３の出湯温水の設定温度を上げるための温度アップスイッチ、８と１２は出湯温水の設定温度を下げるための温度ダウンスイッチ、９と１３は温水利用装置１の入／切スイッチを示す。
【０００５】
図７において、２０は第１のリモコン２のブロック図、３０は第２のリモコン３のブロック図である。２１と３１はそれぞれ第１のリモコン２と第２のリモコン３の制御手段、２２と３２は表示手段、２３と３３は温度アップスイッチ、２４と３４は温度ダウンスイッチ、２５と３５は温水利用装置１の入／切スイッチ、２６と３６は第１のリモコン２と第２のリモコン３と温水利用装置１間の通信を行う通信手段を示す。
【０００６】
次に図６と図７を用いて従来例の動作を説明する。
【０００７】
温水利用装置１が生成する温水の温度は第１のリモコン２と第２のリモコン３で設定できる。具体的には温度アップスイッチ７、１１と温度ダウンスイッチ８、１２を操作することで実現できる。設定された温度は表示手段６と１０に表示される。また入／切スイッチ９、１３の操作で温水利用装置１を入／切できる。温水利用装置１が入の状態で出湯配管５の蛇口を開くと、給水配管４から供給された水は、温水利用装置１で昇温され設定温度の温水を出湯配管５から出すことができる。
【０００８】
またこれら第１のリモコン２と第２のリモコン３と温水利用装置１間のやりとりは、通信手段２６、３６と図示していないが温水利用装置１の通信手段の間の通信で実現している。
【特許文献１】特開２００４−２１９０００号公報
【発明の開示】
【発明が解決しようとする課題】
【０００９】
しかしながら、前記図６、図７に示す従来例の構成では、出湯温度を一定以上に設定した状態で温水利用装置の出湯栓を開いても表示手段には出湯温度が表示されているだけで画面の変化が小さいため、一定以上の温度に設定されており一定以上の温度の温水が出湯することを認識できにくいという課題があった。
【００１０】
また、一定以上に出湯温度を設定されている状態で出湯栓を開いた場合、最初は低温の水が出るので実際に温水が出始めたタイミングがわからないという課題があった。これは例えば、温水利用システムがガス給湯器の場合、開栓によって出水を開始してから温水利用システムに着火して温水が生成され温水の出湯が開始されるまでに時間差が生じる場合、必ずしも開栓時が出湯時と限らないため、出水のタイミングを検知するだけでは実際に温水が出湯されるタイミングが認識できない。
【００１１】
また、表示手段にインターネットなどのネットワークを介して入手する情報を表示できるリモコンで表示手段にネットワークを介して入手した情報を表示しているときには出湯温度の表示が困難であり、一定以上の出湯温度に設定したとき、または、一定以上の出湯温度に設定した状態で出湯栓を開いたとき、または、その状態で実際に温水が出始めたときにこれを知ることは困難であるという課題を有していた。
【００１２】
具体的には次の３例のような使用場面が考えられる。これらのようにインターネットなどのネットワークを介して入手する情報をリモコンに表示・操作するため、それに夢中になってしまい出湯温度に対する注意が薄れることが考えられる。
【００１３】
例えば、インターネットサーフィンのように時間を忘れてネットワークからの情報を見るのに気をとられて、使用者自身が出湯温度を６０℃に設定したことを忘れてしまうことが考えられる。
【００１４】
あるいはまた、最初の使用者が出湯温度を６０℃に設定した後にインターネット画面を見たままの状態で画面を放置して、その後、次の使用者がその情報画面を最初に見て操作を始めるので、そのときに出湯温度が６０℃に設定されていることを知らないことが考えられる。
【００１５】
さらにまた、最初の使用者が出湯温度を６０℃に設定した状態で画面を放置した場合でも、表示オフの機能により表示オフとなる。その後、次の使用者が最初にネットワークからの情報を見るための操作キーを押して表示オンすると、出湯温度の画面ではなくネットワークの画面を最初に表示するため、そのときに出湯温度が６０℃に設定されていることを知らないまま情報画面を操作することが考えられる。
【００１６】
また、省エネルギーや表示手段の使用寿命を長くすることなどを目的に表示手段での表示を消している状態では、一定以上の出湯温度に設定したとき、または、一定以上の出湯温度に設定した状態で出湯栓を開いたとき、または、その状態で実際に温水が出始めたときにこれを知ることは困難であるという課題を有していた。
【課題を解決するための手段】
【００１７】
前記従来の課題を解決するために、本発明の温水利用装置システムおよびそのプログラムは、表示手段と温度設定スイッチを有する１または複数のリモコンと、温水利用装置とを備え、前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台の表示手段に高温警告を表示するものとしたものである。
【００１８】
また、表示手段と温度設定スイッチと音声出力手段を有する１または複数のリモコンと、温水利用装置とを備え、前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台のリモコンは、高温警告を報知する音声出力手段と高温警告を
表示する表示手段の少なくとも一方を有するものとしたものである。
【００１９】
また、温度設定スイッチでの設定値をあらかじめ決めた以上の温度に設定した状態で温水利用装置の出湯栓を開き温水を出湯したとき、前記リモコンのうち少なくとも１台の表示手段に高温警告を表示する、または、音声出力手段から高温警告を報知する、または、高温警告の表示と高温警告の報知の両方を行うものとしたものである。
【００２０】
また、リモコンの少なくとも１台はネットワークを介して情報提供サーバが有する情報を前記表示手段に表示するもの
としたものである。
【００２１】
また、表示手段が表示されていない状態で、前記表示手段に高温警告を表示する条件が整ったときは、前記表示手段に高温警告を表示するものとしたものである。
【発明の効果】
【００２２】
本発明の温水利用装置システムおよびそのプログラムは、出湯温度を一定以上に設定した状態で温水利用装置の出湯栓を開いたときに高温警告を表示または音声、またはその両方で行うため温水が出湯することを認識できる。
【００２３】
また、低温の水ではなく実際に温水が出始めたときに高温警告を表示または音声またはその両方で行うため温水が出湯することとそのタイミングを認識できる。
【００２４】
また、表示手段にインターネットなどのネットワークを介して入手する情報を表示できるリモコンで表示手段にネットワークを介して入手した情報を表示しているときでも一定以上の出湯温度に設定したとき、または、一定以上の出湯温度に設定した状態で出湯栓を開いたとき、または、その状態で実際に温水が出始めたときにこれを認識できる。
【００２５】
また、表示手段での表示を消している状態でも、一定以上の出湯温度に設定したとき、または、一定以上の出湯温度に設定した状態で出湯栓を開いたとき、または、その状態で実際に温水が出始めたときにこれを認識できる。
【発明を実施するための最良の形態】
【００２６】
第１の発明は、表示手段と温度設定スイッチを有する１または複数のリモコンと、温水利用装置とを備えた温水利用装置システムにおいて、前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台の前記表示手段に高温警告を表示する。
【００２７】
これにより、出湯温度を一定以上に設定した状態で温水利用装置の出湯栓を開いたときに高温警告の表示でユーザーは一定以上の温度の温水が出湯されることを知ることができる。
【００２８】
第２の発明は、表示手段と温度設定スイッチと音声出力手段を有する１または複数のリモコンと、温水利用装置とを備えた温水利用装置システムにおいて、前記温度設定スイッチを操作することで前記温水利用装置から出湯する温水の温度を設定することができ、前記温度設定スイッチでの設定値をあらかじめ決めた以上の温度に設定した状態で前記温水利用装置の出湯栓を開いたとき、前記リモコンのうち少なくとも１台のリモコンは、高温警告を報知する前記音声出力手段と高温警告を表示する前記表示手段の少なくとも一方を有する。
【００２９】
これにより、出湯温度を一定以上に設定した状態で温水利用装置の出湯栓を開いたときに高温警告の表示または音声またはその両方でユーザーは一定以上の温度の温水が出湯されることを知ることができる。
【００３０】
第３の発明は、特に第１または第２の発明いずれか記載の発明において、温度設定スイッチでの設定値をあらかじめ決めた以上の温度に設定した状態で温水利用装置の出湯栓を開き温水を出湯したとき、前記リモコンのうち少なくとも１台の表示手段に高温警告を表示する、または、音声出力手段から高温警告を報知する、または、高温警告の表示と高温警告の報知の両方を行う。
【００３１】
これにより、出湯温度を一定以上に設定した状態で温水利用装置の出湯栓を開き、実際に温水が出始めたときに高温警告の表示または音声またはその両方で温水が出湯することとそのタイミングを認識できる。
【００３２】
第４の発明は、特に第１〜第３の発明いずれか記載の発明において、前記高温警告の表示として、高温警告アイコンを表示する、高温警告の表示の色を変える、高温警告の表示の色、文字サイズ、文字の太さ、フォントを変える、のうち少なくともひとつを行う。これにより、高温警告を使用者に際立って認識させることができる。
【００３３】
第５の発明は、特に第１から第４の発明いずれか記載の発明において、リモコンの少なくとも１台はネットワークを介して前記ネットワーク上の情報提供サーバが有する情報を表示する機能を有する。
【００３４】
これにより、表示手段にインターネットなどのネットワークを介して入手する情報を表示できるリモコンで表示手段にネットワークを介して入手した情報を表示しているときでも一定以上の出湯温度に設定した状態で出湯栓を開いたとき、または、その状態で実際に温水が出始めたことを認識できる。
【００３５】
第６の発明は、表示手段と温度設定スイッチを有する１または複数のリモコンと、温水利用装置とを備えた温水利用装置システムにおいて、前記リモコンの少なくとも１台はネットワークを介して前記ネットワーク上の情報提供サーバが有する情報を前記表示手段に表示し、前記温度設定スイッチを操作することで前記温水利用装置から出湯する温水の温度を設定することができ、前記温度設定スイッチでの設定値をあらかじめ決めた以上の温度に設定したとき、前記リモコンのうち少なくとも１台の前記表示手段に高温警告を表示する。
【００３６】
これにより、表示手段にインターネットなどのネットワークを介して入手する情報を表示できるリモコンで表示手段にネットワークを介して入手した情報を表示しているときでも一定以上の出湯温度に設定したときに高温警告の表示でこれを認識できる。
【００３７】
第７の発明は、表示手段と温度設定スイッチと音声出力手段を有する１または複数のリモコンと、温水利用装置とを備えた温水利用装置システムにおいて、前記リモコンの少なくとも１台はネットワークを介して前記ネットワーク上の情報提供サーバが有する情報を前記表示手段に表示し、前記温度設定スイッチを操作することで前記温水利用装置から出湯する温水の温度を設定することができ、前記温度設定スイッチでの設定値をあらかじめ決めた以上の温度に設定したとき、前記リモコンのうち少なくとも１台のリモコンは、高温警告を報知する前記音声出力手段と高温警告を表示する前記表示手段の少なくとも一方を有する。
【００３８】
これにより、表示手段にインターネットなどのネットワークを介して入手する情報を表示できるリモコンで表示手段にネットワークを介して入手した情報を表示しているときでも一定以上の出湯温度に設定したときに高温警告の表示または音声またはその両方でこれを認識できる。
【００３９】
第８の発明は、特に第５から第７の発明いずれか記載の発明において、表示手段にネットワーク上の情報提供サーバが有する情報を表示している状態で、前記表示手段に高温警告を表示する条件が整ったときは、前記表示手段の全画面大に高温警告を表示する。
【００４０】
これにより、表示手段にインターネットなどのネットワークを介して入手する情報を表示できるリモコンで表示手段にネットワークを介して入手した情報を表示しているときでも一定以上の出湯温度に設定したとき、または、一定以上の出湯温度に設定した状態で出湯栓を開いたとき、または、その状態で実際に温水が出始めたときに、表示手段に表示されている内容が大きく変動するためユーザーは認識しやすくなる。
【００４１】
第９の発明は、特に第５から第７の発明いずれか記載の発明において、表示手段にネットワーク上の情報提供サーバが有する情報を表示している状態で、前記表示手段に高温警告を表示する条件が整ったときは、前記表示手段の全画面大のうち、前記情報提供サーバが有する情報を表示している画面大に高温警告を表示する。
【００４２】
これにより、表示手段にインターネットなどのネットワークを介して入手する情報を表示できるリモコンで表示手段にネットワークを介して入手した情報を表示しているときに、例えば特定の情報は常に表示しておきたいなどの理由でネットワークを介して入手した情報の表示部分が表示手段全体ではなくても、一定以上の出湯温度に設定したとき、または、一定以上の出湯温度に設定した状態で出湯栓を開いたとき、または、その状態で実際に温水が出始めたときに、表示手段上でネットワークを介して入手した情報を表示している表示手段の範囲に表示されている内容が大きく変動するためユーザーは認識しやすくなる。
【００４３】
第１０の発明は、特に第１から第９の発明いずれか記載の発明において、表示手段に設定温度を表示している状態で、前記表示手段に高温警告を表示する条件が整ったときは、前記表示手段の前記設定温度の表示位置の全部、または一部を除いて高温警告を表示する。
【００４４】
これにより、表示手段に表示した設定温度の表示が見える状態で高温警告を表示することができる。
【００４５】
第１１の発明は、特に第１から第１０の発明いずれか記載の発明において、表示手段に高温警告表示確認画面を表示し、確認スイッチを押したときに、高温警告画面を消す。これにより、表示した高温警告を消すことができ、通常のリモコン使用状態などの画面を移行させることができる。
【００４６】
第１２の発明は、特に第１から第１１の発明いずれか記載の発明において、表示手段に高温警告を表示開始してから一定時間経過したとき、または出湯が終了したときに高温警告画面を消す。これにより、表示した高温警告を消すことができ、通常のリモコン使用状態などの画面を移行させることができる。
第１３の発明は、特に第１から第１２の発明いずれか記載の発明において、表示手段に情報が表示されていない状態で、前記表示手段に高温警告を表示する条件が整ったときは、前記表示手段に高温警告を表示する。これにより、たとえば、省エネルギーや表示手段
の使用寿命を長くすることなどを目的に表示手段での表示を消している状態でも、一定以上の出湯温度に設定したとき、または、一定以上の出湯温度に設定した状態で出湯栓を開いたとき、または、その状態で実際に温水が出始めたときにこれを認識できる。
【００４７】
第１４の発明は、特に第１から第１３の発明いずれか記載の発明において、１または複数のリモコンのうち、他のリモコンの温度設定スイッチを操作することで温水利用装置から出湯する温水の温度をあらかじめ決めた以上の温度に設定したとき、または、あらかじめ決めた以上の温度に設定した状態で前記温水利用装置の出湯栓を開いたとき、または、あらかじめ決めた以上の温度に設定した状態で前記温水利用装置の出湯栓を開き温水を出湯したときに、表示手段に高温警告を表示する。これにより、出湯温度の設定を例えば風呂に設置されているリモコンで行ったときでもこれを例えば台所など別のリモコンを設置した離れた場所でも認識することができる。
【００４８】
第１５の発明は、特に第１から第１４の発明いずれか記載の発明において、高温警告表示または高温警告報知をしないように設定する機能を有する。これにより、本温水利用装置システム提供者の考えによってこれを実現することで、都度の高温警告の表示または音声またはその両方の要、不要とユーザーの選択によって実現することができる。
【００４９】
第１６の発明は、特に第５〜７の発明において、情報提供サーバが有する情報を表示手段に表示した状態において所定時間経過した場合に、温水温度の表示に切り替える、または、高温給湯の設定であるときには高温警告を行う。
【００５０】
これにより、例えば、インターネットサーフィンのように時間を忘れて情報提供サーバからの情報を見るのに気をとられて、使用者自身が出湯温度の設定を忘れてしまうのを防ぐように、温水温度の表示や高温警告を必ず見るので出湯温度が確認できる。
【００５１】
また、最初の使用者が出湯温度を６０℃に設定した後に情報提供サーバからの情報を見たままの状態で画面を放置して、その後、次の使用者に代わっても、温水温度の表示や高温警告を必ず見るので出湯温度が確認できる。
【００５２】
第１７の発明は、特に第５〜７の発明において、情報提供サーバが有する情報を前記表示手段に表示したままの状態において所定時間経過してその表示画面を消して表示せず、前記リモコンにおいて何らかの操作がされたとき前記表示画面を再表示する場合に、温水温度の画面表示に切り替える、または、高温給湯の設定であるときには高温警告を行う。
【００５３】
これにより、例えば、最初の使用者が出湯温度を６０℃に設定した状態で画面を放置した場合に表示オフの機能により表示オフとなる。その後、次の使用者が最初にネットワークからの情報を見るための操作キー等を押して表示オンとするときでも、温水温度の表示や高温警告を必ず見るので出湯温度が確認できる。
【００５４】
第１８の発明は、温水利用装置システムの少なくとも一部をコンピュータにより実行するためのプログラムとしている。そして、プログラムであるので、電気・情報機器、コンピュータ、サーバー等のハードリソースを協働させて本発明の温水利用装置システムの
少なくとも一部を容易に実現することができる。また記録媒体に記録したり通信回線を用いてプログラムを配信したりすることでプログラムの配布・更新やそのインストール作業が簡単にできる。
【００５５】
以下、本発明の実施の形態について、図面を参照しながら説明する。なお、この実施の形態によって本発明が限定されるものではない。
【００５６】
（実施の形態１）
図１、図２は本発明の実施の形態１における温水利用装置システムの構成を示すブロック図を示すものである。
【００５７】
図１において１０１は温水利用装置でここではお風呂への湯はり、台所での出湯ができるガス給湯器であるとする。１０２は第１のリモコンでここでは台所に設置されるリモコンであるとする。１０３は第２のリモコンでここでは浴室に設置されるリモコンであるとする。１０４は温水利用装置１０１への給水配管、１０５は温水利用装置１０１で生成された温水の出湯配管で出湯のためのバルブ（蛇口）を有している。１０６と１１４はそれぞれ第１のリモコン２と第１０２のリモコン１０３の表示手段で出湯温水の設定温度等を表示する。また後述するが表示手段１０６はインターネットからの情報も表示できるも
のとする。
【００５８】
１０７と１１５はそれぞれ第１のリモコン１０２と第２のリモコン１０３の出湯温水の設定温度を上げるための温度アップスイッチ（温度設定スイッチ）、１０８と１１６は出湯温水の設定温度を下げるための温度ダウンスイッチ（温度設定スイッチ）、１０９と１１７は温水利用装置１０１の入／切スイッチを示す。
【００５９】
１１２はインターネット網であり第１のリモコン１０２はインターネット網１１２と接続する機能を有しており、簡単に前述したが、表示手段１０６はインターネット１１２から入手した情報を表示することができる。
【００６０】
１１０と１１１は画面切り換えスイッチで、スイッチ１１０を押したとき出湯温度を
表示手段１０６に表示し、スイッチ１１１を押したときインターネット１１２から入手した情報を表示する。スイッチ１１１を押したとき、第１のリモコン１０２はインターネット網１１２を介して情報提供サーバ１１３ｂに接続にいき、情報提供サーバ１１３ｂ内にある情報を取り込み表示手段１０６に表示する。
【００６１】
第１のリモコン１０２とインターネット網１１２を介して情報提供サーバ１１３ｂとの通信は一般的なＴＣＰ／ＩＰなどで行われるものとする。また、情報提供サーバ１１３ｂはここでは１個のみ表示しているが、実際にはインターネット網につながる無数のサーバを意味しており、何らかの理由で接続を禁止しているものはある可能性はあるが基本的には情報授受は一般的な方法でできるものとする。
【００６２】
また、第１のリモコン１０２から接続する情報提供サーバ１１３ｂの選択方法は表示手段上のスイッチやここでは表示しないキーボードなどを用いて行うものとする。１１３ａはインターネット網１１２を介して温水利用装置１を制御、状態モニタできる情報端末であり、ここでは携帯電話であるとする。
【００６３】
図２において、１０２は第１のリモコンのブロック図、１０３は第２のリモコンのブロック図である。
【００６４】
１２１と１４１はそれぞれ第１のリモコン１０２と第２のリモコン１０３の制御手段、１０６と１１４は表示手段、１０７と１１５は温度アップスイッチ（温度設定スイッチ）、１０８と１１６は温度ダウンスイッチ（温度設定スイッチ）、１０９と１１７は温水利用装置１０１の入／切スイッチ、１１０と１１１は画面切り換えスイッチである。
【００６５】
１２８と１４６は第１のリモコン１０２と第２のリモコン１０３と温水利用装置１０１間の通信を行う通信手段、１２９はインターネット１１２と接続するためのネット接続手段で、１３０と１４７はスピーカで、１３１は出湯設定温度があらかじめ設定した温度以
上になっているか否かを判定する高温設定判定手段を示す。
【００６６】
図３−１〜図３−４の（ａ）から（ｍ）は本実施の形態での表示手段１０６に表示する画面を示す。図１と図２と図３を用いて本実施の形態の動作を説明する。
【００６７】
温水利用装置１０１の操作時に使用する画面には大別して次の（Ａ）〜（Ｃ）の３種類がある。
【００６８】
（Ａ）１種類目は図３−１（ａ）〜（ｃ）に例示する、温水利用装置１０１を用いて温水生成、温水出湯、風呂への出湯などのときに表示する画面で、例えば図３−１（ａ）はスイッチ１１０を操作したときの表示の例で、ａ１０１は蛇口１０５を開栓した時に出湯する温水の温度を表示しており、ａ１０２は風呂への出湯温度を表示している。すなわち、温水利用装置１０１が生成する温水の温度は第１のリモコン１０２と第２のリモコン１０３で設定できる。
【００６９】
具体的には温度アップスイッチ１０７、１１５と温度ダウンスイッチ１０８、１１６を操作することで実現できる。設定した温度は表示手段１０６と１１４に図３−１（ａ）のように表示される。表示は表示手段１０６と１１４のどちらか一方でもよいが、ここでは両方表示されるものとする。
【００７０】
図３−１（ａ）において、ａ１０１は温水利用システムの蛇口やシャワーから出湯される温水の設定温度が、ａ１０２は浴槽へ出湯される温水の設定温度が表示されている。これらは温度アップスイッチ１０７、１１６を操作することで上げることができる。また温度ダウンスイッチ１０８、１１６を操作することで下げることができる。また入／切スイッチ１０９、１１７の操作で温水利用装置１０１を入／切できる。
【００７１】
温水利用装置１０１が入の状態で出湯配管１０５の蛇口を開くと、給水配管１０４から供給された水は、温水利用装置１０１で昇温され設定温度の温水を出湯配管１０５から出すことができる。
【００７２】
またこれら第１のリモコン１０２と第２のリモコン１０３と温水利用装置１０１間のやりとりは、通信手段１２８、１４６と図示していないが温水利用装置１０１の通信手段の間の通信で実現している。
【００７３】
（Ｂ）２種類目は図３−２、図３−３（ｄ）〜（ｉ）に例示する、スイッチ１１１を操作したときに表示する画面で、これはインターネット網１１２を介して情報提供サーバ１１３が持つ情報を表示したもので、例えばスイッチ１１１を操作すると図３−２（ｄ）の画面が表示される。この画面中の各アイコンを操作するとそれに関連した情報を情報提供サーバ１１３から取得して表示する。
【００７４】
例えばｄ１０１に示すアイコン「デイリー」を操作すると、図３−２（ｅ）の画面が表示される。ニュースアイコンｅ１０１を操作すると図３−２（ｆ）の画面が表示される。ｆ１０１からｆ１０４にはニュースの内容が記載されている。さらに図示していないがｆ１０１からｆ１０４のアイコンを操作すると各ニュースの詳細を記載した画面が表示される。天気予報アイコンｅ１０２を操作すると図３−３（ｈ）の画面が表示される。今日の運勢アイコンｅ１０３を操作すると図３−３（ｉ）の画面が表示される。
【００７５】
（Ｃ）３種類目は図３−３、図３−４（ｊ）〜（ｍ）に例示する、その他の画面である。これについては以下の動作説明の中で説明する。
【００７６】
以下、図３−１〜図３−４（ａ）〜（ｍ）が表示される場面例について、特に高温警告が表示・報知される場面例を中心に説明する。
【００７７】
まず高温警告を表示・報知する第１の場面例について説明する。
【００７８】
図３−１（ａ）を表示した状態から、温度アップスイッチ１０７または１１５を操作してあらかじめ決めていた温度以上に出湯温度を設定したとき、高温設定判定手段１３１はこれを判定し、表示手段１０６に図３−１（ｂ）に示す高温警告画面を表示する。同時に高温警告の報知を行う。高温警告の表示と報知はリモコン１０２と１０３の双方で行ってもよいが、ここではリモコン１０２での状態で説明する（以下同様）。
【００７９】
また、図３−１（ａ）においてａ１０１で表示された温度とａ１０２で表示された温度の双方について高温警告画面を表示することはできるが、ここではａ１０１で示された温度、すなわち温水利用システムの蛇口やシャワーから出湯される温水の設定温度が一定温度以上になっている場合の高温警告について例示する。
【００８０】
また本実施の形態では高温警告の必要な設定温度を６０℃とするがこれに限定するものではない。
【００８１】
具体的な高温警告を表示した画面を図３−１（ｂ）に示す。図３−１（ｂ）において、ｂ１０１は温水利用システムの蛇口やシャワーから出湯される温水の設定温度を表示しており、ここでは６０℃と表示しているので前述した一定温度以上の設定となっている。
【００８２】
一定温度以上に設定されたことを高温設定判定手段１３１が認識し、ｂ１０２に示すように高温警告を画面右側に表示している。高温警告を表示手段１０６のどの部分に表示してもよいが、ここでは設定温度の６０℃（ｂ１０１）を消さない位置に表示することで、高温警告表示と設定温度の両方を一度に確認できるようにしている。ここでは高温警告を「熱いお湯がでます」の文言と出湯状態を示すロゴで表しているが各種考えられる。
【００８３】
また、インターネットからの情報をクリアに表示するために、表示部としてカラー液晶などを使用する場合が多く、この場合、通常の温度表示は黒色で行うが、６０℃の表示を赤色で表示するなど、他の温度表示に比べて目立つ配色を行うことも有効である。また高温警告画面も背景色を水色に対して橙色にするなど目立つ配色にすることも有効である。また、文字サイズを大きくしたり太くする、フォントを変えることも有効である。
【００８４】
またこのとき同時にスピーカ１３０と１４７からこの旨を音声で報知する。報知する音声は「熱いお湯がでます」などの文章や注意を促すメロディや単一音などが考えられえる。高温警告の表示と報知はここでは例えば３秒などの一定の時間を経過した後に自動的に消えるものとする。これは例えば出湯が終了したら消えるとしてもよい。また、ｂ１０２の部分など、画面に触れたら消えるとしてもよい。
【００８５】
高温警告表示が消えた後の画面例を図３−１（ｃ）に示す。ここではｃ１０１は温水利用システムの蛇口やシャワーから出湯される温水の設定温度（６０℃）が、ｃ１０２は浴槽へ出湯される温水の設定温度（４０℃）が表示されている。
【００８６】
なお、高温警告の表示例として図３−３（ｊ）のような全面表示としてもよい。もちろん同時に高温警告の報知を行う。この場合は、ｊ１０２の確認で例示したアイコンを表示しており、ｊ１０２を操作したら図３−３（ｊ）の画面は消える。これは例えば出湯が終了したら消えるとしてもよい。また、ｊ１０１の部分など、画面に触れたら消えるとしてもよい。消えた後の表示の例は上記の場合と同様である。
【００８７】
また、図示していないが、例えば画面の一部（上部など）に常時表示したい情報（たとえば時刻）を表示している場合がある。この場合は前述のような画面前面の高温警告の表示というのは、上記の画面の一部を除いた全面としてもよい。
【００８８】
以上のように、第１の場面例では、出湯温度を一定以上に設定したときに高温警告を表示または音声、またはその両方で、高温設定されたことを認識できる。
【００８９】
次に、高温警告を表示・報知する第２の場面例について説明する。
【００９０】
温水利用装置システムからの出湯温度の設定値を一定温度以上（ここでは６０℃以上）に設定した状態、すなわち、図３−１（ｃ）に示す画面を表示している状態で、蛇口（１０５）を開栓したときに高温設定判定手段１３１がこれを認識し高温警告の表示と報知を行う。このときの具体的な画面例を図３−１（ｂ）から図３−３（ｊ）に示す。
【００９１】
例えば図３−１（ｃ）の画面を表示した状態で、蛇口１０５を開栓したとき、高温警告として図３−１（ｂ）の画面を表示する。すなわち、画面左側にｂ１０１のように出湯設定温度を表示した状態で、画面右側にｂ１０２のように高温警告表示を行う。同時に高温警告の報知を行う。
【００９２】
ここではｂ１０２は１０秒間などの一定時間表示した後、図３−１（ｃ）の画面に戻ることとする。これは例えば出湯が終了したら図３−１（ｃ）に戻るとしてもよい。また、ｂ１０２の部分など、画面に触れたら図３−１（ｃ）戻るとしてもよい。この場合の高温警告としては、図３−３（ｊ）に示すように画面全面に高温警告を表示してもよい。同時に高温警告の報知を行う。
【００９３】
以上のように、第２の場面例では、出湯温度を一定以上に設定した状態で温水利用装置の出湯栓を開いたときに高温警告を表示または音声、またはその両方で行うため温水が出湯することを認識できる。
【００９４】
次に、高温警告を表示・報知する第３の場面例について説明する。
【００９５】
温水利用装置システムからの出湯温度の設定値を一定温度以上（ここでは６０℃以上）に設定した状態、すなわち、図３−１（ｃ）に示す画面を表示している状態で、蛇口（１０５）を開栓し、実際に温水利用装置１０１が動作を開始し、すなわち、例えば温水利用装置１０１がガス給湯器であった場合は、開栓して出水してからボイラーに点火して実際に温水が出てくるまでに時間がかかるが、点火したときに高温設定判定手段１３１がこれを検出し高温警告の表示と報知を行う。あるいは温水が出てきたときに温度検知により高温設定判定手段１３１がこれを検出し高温警告の表示と報知を行う。
【００９６】
このときの具体的な画面例を図３−１（ｂ）から図３−３（ｊ）に示す。
【００９７】
例えば図３−１（ｃ）の画面を表示した状態で、蛇口１０５を開栓し、実際に温水利用装置１０１が動作を開始したときに、高温警告として図３−１（ｂ）の画面を表示する。すなわち、画面左側にｂ１０１のように出湯設定温度を表示した状態で、画面右側にｂ１０２のように高温警告表示を行う。同時に高温警告の報知を行う。ここではｂ１０２は１０秒間などの一定時間表示した後、図３−１（ｃ）の画面に戻ることとする。これは例えば出湯が終了したら図３−１（ｃ）に戻るとしてもよい。また、ｂ１０２の部分など、画面に触れたら図３−１（ｃ）戻るとしてもよい。
【００９８】
この場合の高温警告としては、図３−３（ｊ）に示すように画面全面に高温警告を表示してもよい。同時に高温警告の報知を行う。この場合は、ｊ１０２の確認で例示したアイコンを表示しており、ｊ１０２を操作したら図３−１（ｃ）に戻るとしている。これは例えば出湯が終了したら図３−１（ｃ）に戻るとしてもよい。また、ｂ１０２の部分など、画面に触れたら図３−１（ｃ）戻るとしてもよい。
【００９９】
以上のように、第３の場面例では、低温の水ではなく実際に温水が出始めたときに高温警告を表示または音声またはその両方で行うため温水が出湯することとそのタイミングを認識できる。
【０１００】
次に、高温警告を表示・報知する第４の場面例について説明する。
【０１０１】
温水利用装置システムからの出湯温度の設定値を一定温度以上（ここでは６０℃以上）に設定した状態であるが、スイッチ１１１を操作して、図３−２（ｄ）〜図３−３（ｉ）に示すような、情報提供サーバ１１３ｂの情報を表示している状態で、蛇口（１０５）を開栓したとき、あるいは実際に温水利用装置１０１だ動作を開始したときに、高温設定判定手段１３１がこれを認識し高温警告の表示と報知を行う。このときの具体的な画面例を図３−１（ｂ）から図３−３（ｊ）に示す。
【０１０２】
例えば、図３−３（ｊ）に示すように画面全面に高温警告を表示する。同時に高温警告の報知を行う。この場合は、ｊ１０２の確認で例示したアイコンを表示しており、ｊ１０２を操作したら、その前に表示していた図３−２（ｄ）〜図３−３（ｉ）に戻るとしている。これは例えば出湯が終了したら戻るとしてもよい。また、ｂ１０２の部分など、画面に触れたら戻るとしてもよい。
【０１０３】
また、図示していないが、例えば画面の一部（上部など）に常時表示したい情報（時計や接続先ＵＲＬなど）を表示している場合がある。この場合は前述のような画面全面の高温警告の表示というのは、上記の画面の一部を除いた全面としてもよい。またこの場合、高温警告として図３−１（ｂ）の画面を表示してもよい。
【０１０４】
すなわち、画面左側にｂ１０１のように出湯設定温度を表示した状態で、画面右側にｂ１０２のように高温警告表示を行う。同時に高温警告の報知を行う。ここではｂ１０２は１０秒間などの一定時間表示した後、その前に表示していた図３−２（ｄ）〜図３−３（ｉ）の画面に戻ることとする。これは例えば出湯が終了したら戻るとしてもよい。また、ｂ１０２の部分など、画面に触れたら戻るとしてもよい。なお、遷移後の画面（戻り後の画面）は図３−１（ｃ）など別途任意に設定してもよい。
【０１０５】
また、図示しないが、図３−１（ｂ）の左画面に情報提供サーバ１１３ｂの情報を表示を表示し、右画面に高温警告ｂ１０２を表示するようにしても良い。
【０１０６】
以上のように、第４の場面例では、表示手段にインターネットなどのネットワークを介して入手する情報を表示できるリモコンで表示手段にネットワークを介して入手した情報を表示しているときでも一定以上の出湯温度に設定したとき、または、一定以上の出湯温度に設定した状態で出湯栓を開いたとき、または、その状態で実際に温水が出始めたときにこれを認識できるので、インターネットに夢中になっていても高温に気がつかせることができる。
【０１０７】
次に、高温警告を表示・報知する第５の場面例について説明する。
【０１０８】
リモコン１０２の表示手段１０６には図３−１（ａ）（ｃ）〜図３−３（ｉ）などの任
意の画面が表示されている状態、もしくは図３−４（ｋ）のように、例えば意識的に画面を消している状態や液晶画面のバックライトを消している状態など、何も表示していない状態にある場合に、リモコン１０３の温度アップスイッチ１１５を操作して出湯温度を一定温度以上（ここでは６０℃以上）に設定した場合や、あるいは６０℃以上に設定した状態にあるときに蛇口１０５を開栓した場合や、あるいは実際に温水利用装置１０１が動作を開始したときに、高温設定判定手段１３１がこれを認識し高温警告の表示と報知を行う。
【０１０９】
このときの具体的な画面例を図３−１（ｂ）から図３−４（ｋ）に示す。例えば、図３−３（ｊ）に示すように画面全面に高温警告を表示する。同時に高温警告の報知を行う。この場合は、ｊ１０２の確認で例示したアイコンを表示しており、ｊ１０２を操作したら、その前に表示していた図３−２（ｄ）〜図３−３（ｉ）、図３−４（ｋ）に戻るとしている。これは例えば出湯が終了したら戻るとしてもよい。また、ｂ１０２の部分など、画面に触れたら戻るとしてもよい。
【０１１０】
またこの場合、高温警告として図３−１（ｂ）の画面を表示してもよい。すなわち、画面左側にｂ１０１のように出湯設定温度を表示した状態で、画面右側にｂ１０２のように高温警告表示を行う。同時に高温警告の報知を行う。
【０１１１】
ここではｂ１０２は１０秒間などの一定時間表示した後、その前に表示していた図３−２（ｄ）〜図３−３（ｉ）、図３−４（ｋ）の画面に戻ることとする。これは例えば出湯が終了したら戻るとしてもよい。また、ｂ１０２の部分など、画面に触れたら戻るとしてもよい。なお、遷移後の画面（戻り後の画面）は図３−１（ｃ）など別途任意に設定してもよい。
【０１１２】
以上のように、第５の場面例では、表示手段での表示を消している状態でも、一定以上の出湯温度に設定したとき、または、一定以上の出湯温度に設定した状態で出湯栓を開いたとき、または、その状態で実際に温水が出始めたときにこれを認識できる。
【０１１３】
次に、高温警告の表示と報知の両方、またはいずれか一方を行うか否かの設定例について、図３−４（Ｌ）、（ｍ）を用いて説明する。
【０１１４】
例えば、出湯温度を一定温度以上（ここでは６０℃以上）に設定した状態にあるときに蛇口１０５を開栓した場合、高温警告の表示と報知を行うが、別に設置した混合栓で温水の温度を調整するなど、温水利用装置としては常時６０℃以上に設定して使用する場合などでは、蛇口を開栓するたびに高温警告の表示と報知を行うことになる。使用者が納得した状態ではこれの両方、もしくは一方を行わないことの選択を行う画面例が図３−４（Ｌ）、（ｍ）である。
【０１１５】
具体的には図示していないがリモコン１０２のスイッチ操作により設定画面の図３−４（Ｌ）を表示する。ここで、Ｌ１０１を操作すると表示・報知の両方、もしくは一方を行わない。両方にするか一方にするかは商品スペックとして決定してもよいし、選択画面などで使用者に選択する方法を提示してもよい。
【０１１６】
使用者がＬ１０１を選択し、操作した場合、即時この設定を有効にしてもよいが、本実施の形態では、使用者の認識を確認するために（誤操作ではないことを確認するために）図３−４（ｍ）の確認画面を表示する。ｍ１０２を使用者が選択した場合は設定を有効にし、Ｌ１０１を選択した場合は無効にする。
【０１１７】
なお、これらの設定は、一定以上の温度の設定したときの表示と報知と蛇口を開して出
湯したときのお知らせの表示と音声報知の少なくともひとつを残すこともできる。以上に示した文言やアイコンの形状は例である。
【０１１８】
ここで、高温警告の表示場所の有効性について整理する。
【０１１９】
高温警告を表示する面積の表示手段全体に占める割合は任意に決めており、表示手段１０６の全体に表示してもよく、また、一部の面積で表示しても良い。
【０１２０】
これの使い分けの一例としては、例えば表示手段１０６の左半分を使用して出湯温度を表示している場合はこれを消すことなくお知らせを表示することに利便性が高いため、お知らせは右半分のみを用いて行う。
【０１２１】
一方、表示手段に何も表示しない状態、これは例えば表示手段１０６が液晶であり省エネのためにバックライトを消した状態などが考えられる。この場合でも場合でも条件が整ったときに液晶のバックライトをオンにして高温警告を表示させることができる。この場合は認識を高めるために全画面大を使用してお知らせを表示するとより効果的である。同様に、スイッチ１１１を操作してインターネットからの情報を表示手段１０６で閲覧していたときも全画面大で表示し、高温警告の認識を高めることができる。
【０１２２】
表示した高温警告を消すタイミングについては下記の方法を使い分けることができる。
【０１２３】
第１は、高温警告の表示に確認ボタン（図示せず）を設けておき、この確認ボタンを押すことによりお知らせ表示を消すことができる。
【０１２４】
第２は、表示後あらかじめ決めた一定時間（たとえば３秒）経過後消すことができる。
【０１２５】
第３は、出湯が終了したとき消すことができる。
【０１２６】
第４は、入／切ボタン１０９、１１７を操作し、切にしたときに消すことができる。
【０１２７】
第５は、スイッチ１１０を操作してインターネットの情報を表示する画面に映ったときに消すことができる。
【０１２８】
第６は、一定時間経過して表示手段１０６のバックライトを消したときに表示データ自身も消すことができる。
【０１２９】
なお、図１、図２の構成を図４、５のようにしてもよい。図１、図２と同じ番号を付与したものは、同様の作用があるとする。ここでは図１、図２と異なる点を中心に説明する。
【０１３０】
図４、図５の２０２は第１のリモコンでここでは台所に設置されるリモコンであるとする。図１、図２の第１のリモコン１０２で有していた温度アップスイッチ１０７と温度ダウンスイッチ１０８が第１のリモコン２０２には存在しない。温度アップスイッチ１０７と温度ダウンスイッチ１０８がもっていた機能を、表示手段１０６に表示する。図３−５（ｎ）のｎ１０３とｎ１０４のアイコンで行う。
【０１３１】
すなわち、本実施の形態２では表示手段１０６に図３−１（ｄ）〜図３−５（ｐ）を表示する。図３−２（ｄ）〜図３−４（ｍ）は実施の形態１と同様である。実施の形態１の図３−１（ａ）〜（ｃ）を図３−５（ｎ）〜（ｐ）と読み替えれば本実施の形態２の動作は説明できる。
【０１３２】
一部分を抜粋して記載すると、ｎ１０３と１１５はそれぞれ第１のリモコン２０２と第２のリモコン１０３の出湯温水の設定温度を上げるための温度アップスイッチ（温度設定スイッチ）、ｎ１０４と１１６は出湯温水の設定温度を下げるための温度ダウンスイッチ（温度設定スイッチ）、１０９と１１７は温水利用装置１０１の入／切スイッチを示す。
【０１３３】
図３−２（ｄ）〜図３−５（ｐ）は本実施の形態での表示手段１０６に表示する画面を示す。
【０１３４】
たとえば、図３−５（ｎ）〜（ｐ）は、温水利用装置１０１を用いて温水生成、温水出湯、風呂への出湯などのときに表示する画面で、例えば図３−５（ｎ）はスイッチ１１０を操作したときの表示の例で、ｎ１０１は蛇口１０５を開栓した時に出湯する温水の温度を表示しており、ｎ１０２は風呂への出湯温度を表示している。すなわち、温水利用装置１０１が生成する温水の温度は第１のリモコン２０２と第２のリモコン１０３で設定できる。
【０１３５】
具体的には温度アップスイッチｎ１０３、１１５と温度ダウンスイッチｎ１０４、１１６を操作することで実現できる。設定した温度は表示手段１０６と１１４に図３−１（ａ）のように表示される。表示は表示手段１０６と１１４の両方でもよいが、ここでは表示手段１０６のみとする。
【０１３６】
図３−５（ｎ）においてｎ１０１は温水利用システムの蛇口やシャワーから出湯される温水の設定温度が、ｎ１０２は浴槽へ出湯される温水の設定温度が表示されている。これらは温度アップスイッチｎ１０３、１１６を操作することで上げることができる。また温度ダウンスイッチｎ１０４、１１６を操作することで下げることができる。また入／切スイッチ１０９、１１７の操作で温水利用装置１０１を入／切できる。
【０１３７】
図３−５（ｎ）を表示した状態から、温度アップスイッチｎ１０３または１１５を操作してあらかじめ決めていた温度以上に出湯温度を設定したとき、高温設定判定手段１３１はこれを判定し、表示手段１０６に図３−５（ｏ）に示す高温警告画面を表示する。同時に高温警告の報知を行う。
【０１３８】
高温警告の表示と報知はリモコン１０２と１０３の双方で行ってもよいが、ここではリモコン１０２での状態で説明する（以下同様）。
【０１３９】
また、図３−５（ｎ）においてｎ１０１で表示された温度とｎ１０２で表示された温度の双方について高温警告画面を表示することはできるが、ここではｎ１０１で示された温度、すなわち温水利用システムの蛇口やシャワーから出湯される温水の設定温度が一定温度以上になっている場合の高温警告について例示する。
【０１４０】
具体的な高温警告を表示した画面を図３−５（ｏ）に示す。図３−５（ｏ）において、ｏ１０１は温水利用システムの蛇口やシャワーから出湯される温水の設定温度を表示しており、ここでは６０℃と表示しているので前述した一定温度以上の設定となっている。一定温度以上に設定されたことを高温設定判定手段１３１が認識し、ｏ１０２に示すように高温警告を画面右側に表示している。
【０１４１】
高温警告を表示手段１０６のどの部分に表示してもよいが、ここでは設定温度の６０℃（ｏ１０１）を消さない位置に表示することで、高温警告表示と設定温度の両方を一度に確認できるようにしている。ここでは高温警告を「熱いお湯がでます」の文言と出湯状態を示すロゴで表しているが各種考えられる。
【０１４２】
またこのとき同時にスピーカ１３０と１４７からこの旨を音声で報知する。報知する音声は「熱いお湯がでます」などの文章や注意を促すメロディや単一音などが考えられえる。
【０１４３】
高温警告の表示と報知はここでは例えば３秒などの一定の時間を経過した後に自動的に消えるものとする。これは例えば出湯が終了したら消えるとしてもよい。また、ｏ１０２の部分など、画面に触れたら消えるとしてもよい。
【０１４４】
高温警告表示が消えた後の画面例を図３−５（ｐ）に示す。ここではｐ１０１は温水利用システムの蛇口やシャワーから出湯される温水の設定温度（６０℃）が、ｐ１０２は浴槽へ出湯される温水の設定温度（４０℃）が表示されている。
【０１４５】
高温警告の表示例として図３−３（ｊ）のような全面表示としてもよい。もちろん同時に高温警告の報知を行う。この場合は、ｊ１０２の確認で例示したアイコンを表示しており、ｊ１０２を操作したら図３−３（ｊ）の画面は消える。これは例えば出湯が終了したら消えるとしてもよい。また、ｊ１０１の部分など、画面に触れたら消えるとしてもよい。消えた後の表示の例は上記の場合と同様である。
【０１４６】
その他の高温警告を表示・報知する場面例も実施の形態１の図３−１（ａ）〜（ｃ）を図３−５（ｎ）〜（ｐ）と読み替えて説明できるので省略する。
【０１４７】
以上のように本実施の形態の温水利用装置システムを用いれば、例えば浴室で第２のリモコンを操作してあらかじめ決めた温度以上に設定した場合、台所に設置した第１のリモコンの近傍で台所の蛇口から温水を出そうとしている、別の人にも表示と音声でお知らせすることができる。また、設定時間が経過して設定していたことを忘れていても、蛇口を開して温水を出湯するときにも表示と音声でお知らせするため利便性が高い。
【０１４８】
なお、あらかじめ決めた一定温度以上とここまで記してきたが、この温度は工場出荷時に決めてあることのほか、使用者が設定する、あるいは使用条件により自動的に設定する等でも良いのは言うまでもない。
【０１４９】
なお、あらかじめ決めた温度以上に設定した場合にお知らせを表示、音声報知すると記したが、設定した状態で入／切スイッチ１０９または１１７を操作することで切状態となり、再度、入／切スイッチ１０９または１１７を操作することで入状態になったときにもお知らせを表示、音声報知しても良いのは言うまでもない。
【０１５０】
なお、スイッチ１１０はインターネットの情報を表示した画面への遷移スイッチであるとしたが、例えば暖房装置を制御するための画面に遷移するためのスイッチなど他の目的のスイッチがリモコンに存在し、そのスイッチも同様の機能を有しているとしても良いのは言うまでもない。
【０１５１】
また本実施の形態ではお知らせの表示は第１のリモコンで行ったが、第２のリモコンでも可能だとしても良いのは言うまでもない。またリモコンは３台以上あってもよい。
【０１５２】
なお、高温設定判定手段１３１は制御手段１２１（たとえばマイコン）に組み込んで実現してもよい。また、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットな
どの通信回線を用いて配信することで新しい機能の配布・更新やそのインストール作業が簡単にできる。
【０１５３】
また、インターネット網に限らず情報通信回線を利用して得た情報をリモコンに表示する形態であればよい。またその表示情報の内容は、本実施の形態に限定されない。
【０１５４】
なお、高温警告の表示の例として本実施の形態では高温警告表示の条件が整ったときには高温警告アイコンを画面の一部又は全部にポップアップ的に表示表示を行ったが、これに限らず、高温警告アイコンを表示する、高温警告の表示の色、文字サイズ、文字の太さ、フォントを変えるなど、使用者が一目で気づく方法でもよい。
【０１５５】
なお、ネットワークからの情報表示画面はそのまま放置表示するのではなく、一定時間経過後には出湯設定温度の表示に切り替えるものとしてもよい。このようにすれば、たとえば、前の使用者が情報表示画面のままで終了しても、次の使用者が最初に見る画面を出湯設定温度の表示とすることで出湯温度を確認させることができる。さらにそのときに、高温警告表示の条件が整っている場合は高温警告画面を表示すればより効果的である。
【０１５６】
具体的には、情報提供サーバが有する情報を表示手段に表示した状態において所定時間（例えば１０分）経過した場合に、温水温度の表示画面に切り替える。または、情報提供サーバが有する情報を表示手段に表示した状態において所定時間経過した場合に、高温給湯の設定であるときには高温警告を行う。
【０１５７】
これにより、例えば、インターネットサーフィンのように時間を忘れて情報提供サーバからの情報を見るのに気をとられて、使用者自身が出湯温度の設定を忘れてしまっても、１０分おきに温水温度の表示画面や高温警告の表示画面に切り替わったり、高温警告を聞くので必ず使用者が出湯温度を確認できる。
【０１５８】
また、最初の使用者が出湯温度を６０℃に設定した後に情報提供サーバからの情報を見たままの状態で画面を放置して、その後、次の使用者に代わっても、１０分以内に温水温度の表示画面や高温警告を必ず見るので出湯温度が確認できる。
【０１５９】
また、液晶のバックライトを消す等で表示をＯＦＦした状態から、何らかの画面を表示するときは、使用者のキー操作に限らず、最初に出湯設定温度や高温警告を表示するものとしてもよい。さらにそのときに、高温警告表示の条件が整っている場合は高温警告画面を表示すればより効果的である。
【０１６０】
具体的には、情報提供サーバが有する情報を表示手段に表示したままの状態において所定時間（例えば２０分）経過して表示画面を消し表示していない場合に、リモコンにおいて何らかの操作がされたとき表示画面を再表示する際に、温水温度の表示に切り替える、または、高温給湯の設定であるときには高温警告を行う。
【０１６１】
これにより、例えば、最初の使用者が出湯温度を６０℃に設定した状態で画面を放置した場合に２０分後に表示オフの機能により表示オフとなり、その後、次の使用者が最初にネットワークからの情報を見るための操作キー等を押して表示オンとしても、最初に情報の表示画面ではなく、温水温度の表示画面や高温警告を必ず見るので出湯温度が確認できる。
【産業上の利用可能性】
【０１６２】
本発明はリモコンを１台または複数備えたガス給湯器や石油給湯器や電気温水器やヒートポンプ給湯器などの温水を生成し給湯、暖房等に利用する温水利用装置システムに利用
できる。またリモコンを１台または複数備えた空調機器（例えばエアコン）にも利用できる。
【図面の簡単な説明】
【０１６３】
【図１】本発明の実施の形態１に示す温水利用装置システムの構成を示すブロック図
【図２】本発明の実施の形態１に示すリモコンの構成を示すブロック図
【図３−１】本発明の実施の形態１の画面例１を示す図
【図３−２】本発明の実施の形態１の画面例２を示す図
【図３−３】本発明の実施の形態１の画面例３を示す図
【図３−４】本発明の実施の形態１の画面例４を示す図
【図３−５】本発明の実施の形態１の画面例５を示す図
【図４】本発明の実施の形態１に示す他の温水利用装置システムの構成を示すブロック図
【図５】本発明の実施の形態１に示す他のリモコンの構成を示すブロック図
【図６】従来例の温水利用装置システムの構成を示すブロック図
【図７】従来例のリモコンの構成を示すブロック図
【符号の説明】
【０１６４】
１０１  温水利用装置
１０２  第１のリモコン
１０３  第２のリモコン
１０６、１１４、表示手段
１０７、１１５  温度アップスイッチ（温度設定スイッチ）
１０８、１１６  温度ダウンスイッチ（温度設定スイッチ）
１１２  インターネット網
１１３ａ  携帯電話
１１３ｂ  情報提供サーバ
１３０、１４７  スピーカ
１３１  高温設定判定手段
【図１】
2006105579.tif 000003
【図２】
2006105579.tif 000004
【図４】
2006105579.tif 000005
【図５】
2006105579.tif 000006
【図６】
2006105579.tif 000007
【図７】
2006105579.tif 000008
【図３−１】
2006105579.tif 000009
【図３−２】
2006105579.tif 000010
【図３−３】
2006105579.tif 000011
【図３−４】
2006105579.tif 000012
【図３−５】
2006105579.tif 000013